(57)【要約】【課題】同一商品収納庫に収納されていながら、それぞれ相違する商品温度（販売時の温度）に商品を冷却（または加熱）することが可能な自動販売機を提供する。【解決手段】自動販売機３０００は、第１ファン３０ａから送られた空気が第１吹出ホース７１ａを経由して、前左商品ラック１０ａの下端に設置された第１吹出側ダクト４０ａから吹き出して水平方向の風流れが形成され、前右商品ラック１０ｂの下端に設置された第１吸込側ダクト５０ｂに吸い込まれ、熱交換器を経由して第１ファン３０ａに戻る。同様に、中左商品ラック１０ｃの下端から中右商品ラック１０ｄの下端に向かう水平方向の風流れが形成され、後左商品ラック１０ｅの下端から後右商品ラック１０ｆの下端に向かう水平方向の風流れが形成される。それぞれの水平方向の風流れの風量が相違する。【選択図】図１５
2010262589.tif 000002
【特許請求の範囲】
【請求項１】
断熱材によって囲まれ前面に開口部を具備する商品収納庫と、
前記開口部を開閉する断熱扉と、
前記商品収納庫の前後方向に配置され、商品を収納すると共に、下端に商品切り出し機構を具備する複数の商品ラックと、
該商品ラックの下方に設置され、前記商品切り出し機構によって切り出された商品を前面側に搬送するシューターと、
該シューターの下方に配置され、庫内空気を冷却または加熱する庫内熱交換器および庫内空気を循環させる複数の庫内ファンと、
を有し、
前記商品ラックのそれぞれの一方の側板における下端部に吹出側ダクトが設置され、
前記商品ラックのそれぞれの他方の側板における下端部に吸込側ダクトが設置され、
前記複数の庫内ファンのそれぞれと前記吹出側ダクトのそれぞれとが、それぞれ別個の送風経路によって接続され、
前記庫内ファンのそれぞれの送風量が相違することを特徴とする自動販売機。
【請求項２】
断熱材によって囲まれ前面に開口部を具備する商品収納庫と、
前記開口部を開閉する断熱扉と、
前記商品収納庫の前後方向および左右方向に配置され、商品を収納すると共に、下端に商品切り出し機構を具備する複数の商品ラックと、
該商品ラックの下方に設置され、前記商品切り出し機構によって切り出された商品を前面側に搬送するシューターと、
該シューターの下方に配置され、庫内空気を冷却または加熱する庫内熱交換器および庫内空気を循環させる複数の庫内ファンと、
を有し、
前記商品ラックのうち左右方向の最も一方側に位置する商品ラックのそれぞれについて、一方側の側板で下端部に吹出側ダクトが設置され、
前記商品ラックのうち左右方向の最も他方側に位置する商品ラックのそれぞれについて、他方側の側板で下端部に吸込側ダクトが設置され、
前記複数の庫内ファンのそれぞれと前記吹出側ダクトのそれぞれとが、それぞれ別個の送風経路によって接続され、
前記吹出側ダクトと前記吸込側ダクトとの間に、左右方向に流れる風流れ経路が形成され、
前記庫内ファンのそれぞれの送風量が相違することを特徴とする自動販売機。
【請求項３】
前記商品ラックの前後方向の間で下端から所定の高さの範囲に、断熱板または遮風板が設置されていることを特徴とする請求項１または２記載の自動販売機。
【請求項４】
前記庫内熱交換器の入側または出側の一方または両方に、前記複数の庫内ファンにそれぞれ連通した熱交換器風胴が設置され、
該複数の熱交換器風胴のそれぞれと前記吸込側ダクトのそれぞれとが、それぞれ別個の吸風経路によって接続されていることを特徴とする請求項１乃至３の何れかに記載の自動販売機。
【請求項５】
前記送風経路または前記吸風経路の一方または両方が、可撓性を具備するホースによって形成されていることを特徴とする請求項１乃至４の何れかに記載の自動販売機。
【請求項６】
前記複数の商品ラックのうちの少なくとも１列の商品ラックにおいて、
前記吹出側ダクトの上方に追加吹出側ダクトが設置されると共に、前記吸込側ダクトの上方に追加吸込側ダクトが設置され、
前記吹出側ダクトと前記追加吹出側ダクトとが追加送風経路によって接続され、且つ、前記吸込側ダクトと前記追加吸込側ダクトとが追加吸風経路によって接続されていることを特徴とする請求項１乃至５の何れかに記載の自動販売機。
【請求項７】
前記追加吹出側ダクトおよび前記追加吸込側ダクトが着脱自在であることを特徴とする請求項６記載の自動販売機。
【請求項８】
断熱材によって囲まれ前面に開口部を具備する商品収納庫と、
前記開口部を開閉する断熱扉と、
前記商品収納庫の前後方向および左右方向に配置され、商品を収納すると共に、下端に商品切り出し機構を具備する複数の商品ラックと、
該商品ラックの下方に設置され、前記商品切り出し機構によって切り出された商品を前面側に搬送するシューターと、
該シューターの下方に配置され、庫内空気を冷却または加熱する庫内熱交換器および庫内空気を循環させる複数の庫内ファンと、
を有し、
前記商品ラックのうち左右方向の一方側に位置する商品ラックのそれぞれについて、一方側の側板における下端部に一方側吹出ダクトが設置され、
前記商品ラックのうち左右方向の他方側に位置する商品ラックのそれぞれについて、他方側の側板における下端部に他方側吹出ダクトが設置され、
前記一方側吹出ダクトと、該一方側吹出ダクトに左右方向で対向する前記他方側吹出ダクトと、からなる吹出ダクトペアーが形成され、
前記複数の庫内ファンのそれぞれと前記吹出ダクトペアーのそれぞれとが、それぞれ別個の送風経路によって接続され、
前記吹出ダクトペアーのそれぞれにおいて、前記一方側吹出ダクトから前記他方側吹出ダクトに向けて、且つ、前記他方側吹出ダクトから前記一方側吹出ダクトに向けて、風流れが形成され、
前記庫内ファンのそれぞれの送風量が相違することを特徴とする自動販売機。
【請求項９】
前記商品ラックの前後方向の間で下端から所定の高さの範囲に、断熱板または遮風板が設置されていることを特徴とする請求項８記載の自動販売機。
【請求項１０】
前記シューターの前後方向で後方寄りに通気孔が形成され、該通気孔の下方に前記庫内熱交換器の入側が位置し、前記庫内熱交換器の出側に、前記複数の庫内ファンにそれぞれ連通した熱交換器風胴が設置されていることを特徴とする請求項８または９記載の自動販売機。
【請求項１１】
前記送風経路が、途中に分岐部が形成された略Ｙ字状ないし略Ｔ字状の可撓性を具備するホースによって形成されていることを特徴とする請求項８乃至１０の何れかに記載の自動販売機。
【請求項１２】
前記複数の商品ラックのうちの少なくとも１列の商品ラックにおいて、前記一方側吹出ダクトの上方に追加一方側吹出ダクトが設置されると共に、該追加一方側吹出ダクトに対向するように、前記他方側吹出ダクトの上方に追加他方側吹出ダクトが設置され、
前記一方側吹出ダクトと前記追加一方側吹出ダクトとが追加一方側送風経路によって接続され、且つ、前記他方側吹出ダクトと前記追加他方側吹出ダクトとが追加他方側送風経路によって接続されていることを特徴とする請求項８乃至１１の何れかに記載の自動販売機。
【請求項１３】
前記追加一方側吹出ダクトが前記一方側吹出ダクトに着脱自在で、且つ、前記追加他方側吹出ダクトが前記他方側吹出ダクトに着脱自在であることを特徴とする請求項１２記載の自動販売機。
【請求項１４】
前記商品収納庫が仕切板によって複数の商品室に分割され、
該商品室の前後方向に、前記複数の商品ラックが配置されていることを特徴とする請求項１乃至１３の何れかに記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒（以下、「高圧高温冷媒」と称す）を凝縮させる庫外凝縮器（ガスクーラーに同じ）と、凝縮された冷媒（以下、「高圧中温冷媒」と称す）を膨張させる膨張手段と、膨張した冷媒（以下、「低圧低温冷媒」と称す）を蒸発させる庫内蒸発器と、これらを順次連結して蒸発した冷媒（以下、「低圧中温冷媒」と称す）を圧縮機に戻す冷媒循環回路と、からなる冷凍サイクルを有している。そして、商品を収納する商品収納庫には庫内蒸発器が設置され、これに低圧低温冷媒を供給することによって、商品収納庫の庫内空気を冷却している。
【０００３】
また、商品収納庫に蒸発器機能を具備する装置を設置して（庫内凝縮器において冷媒蒸発をしたり、別個の庫内蒸発器を設置）、これに高圧高温冷媒を供給することによって、商品収納庫の庫内空気を加熱（ヒートポンプ運転）している。
このとき、収納された商品（少なくとも、次に販売される商品（以下、「次販売商品」と称す）の温度を均一にするため、商品の収納形態に応じて、商品に向けた庫内空気の吹き出し要領を変更することができる自動販売機が開示されている（例えば、特許文献１、２参照）。
【先行技術文献】
【特許文献】
【０００４】
【特許文献１】特開平８−２５５２８５号公報（第４−５頁、図１３）
【特許文献２】特開２００５−１７３８５２号公報（第７−８頁、図２）
【発明の概要】
【発明が解決しようとする課題】
【０００５】
すなわち、特許文献１に開示された発明は、商品搬出プレート（「シューター」に同じ）に形成される空気循環用の孔（「通気孔」に同じ）を、送風機（「庫内ファン」に同じ）から離れるほど大きくする（近づくほど小さくする）ものである。また、特許文献１に開示された発明は、それぞれ相違する形態で通気孔が形成された複数枚のシューターを用いて、該シューターの相対位置を変更することによって、通気孔同士を干渉（開口、開口面積の変更、さらに閉鎖）させるものである。このため、何れも、商品収納庫に収納された商品（少なくとも、次販売商品）の温度を均一にするという効果を奏している。
【０００６】
しかしながら、利用者の嗜好の多様化に伴って、販売する商品の種類が増したことにより、特定の商品収納庫に複数種類の商品が収納される場合が生じてきた。このとき、商品毎に「味わい温度」が相違するため、同一商品収納庫に収納されていながら、それぞれ相違する商品温度（販売時の温度）に商品を冷却（または加熱）することが可能な自動販売機の提供が要請されている。
【０００７】
本発明はかかる要請に応えるものであって、同一商品収納庫に収納されていながら、それぞれ相違する商品温度（販売時の温度）に商品を冷却（または加熱）することが可能な自動販売機を提供することを目的とする。
【課題を解決するための手段】
【０００８】
（１）本発明に係る自動販売機（請求項１）は、断熱材によって囲まれ前面に開口部を具備する商品収納庫と、
前記開口部を開閉する断熱扉と、
前記商品収納庫の前後方向に配置され、商品を収納すると共に、下端に商品切り出し機構を具備する複数の商品ラックと、
該商品ラックの下方に設置され、前記商品切り出し機構によって切り出された商品を前面側に搬送するシューターと、
該シューターの下方に配置され、庫内空気を冷却または加熱する庫内熱交換器および庫内空気を循環させる複数の庫内ファンと、
を有し、
前記商品ラックのそれぞれの一方の側板における下端部に吹出側ダクトが設置され、
前記商品ラックのそれぞれの他方の側板における下端部に吸込側ダクトが設置され、
前記複数の庫内ファンのそれぞれと前記吹出側ダクトのそれぞれとが、それぞれ別個の送風経路によって接続され、
前記庫内ファンのそれぞれの送風量が相違することを特徴とする。
【０００９】
（２）本発明に係る自動販売機（請求項２）は、断熱材によって囲まれ前面に開口部を具備する商品収納庫と、
前記開口部を開閉する断熱扉と、
前記商品収納庫の前後方向および左右方向に配置され、商品を収納すると共に、下端に商品切り出し機構を具備する複数の商品ラックと、
該商品ラックの下方に設置され、前記商品切り出し機構によって切り出された商品を前面側に搬送するシューターと、
該シューターの下方に配置され、庫内空気を冷却または加熱する庫内熱交換器および庫内空気を循環させる複数の庫内ファンと、
を有し、
前記商品ラックのうち左右方向の最も一方側に位置する商品ラックのそれぞれについて、一方側の側板における下端部に吹出側ダクトが設置され、
前記商品ラックのうち左右方向の最も他方側に位置する商品ラックのそれぞれについて、他方側の側板における下端部に吸込側ダクトが設置され、
前記複数の庫内ファンのそれぞれと前記吹出側ダクトのそれぞれとが、それぞれ別個の送風経路によって接続され、
前記吹出側ダクトと前記吸込側ダクトとの間に、左右方向に流れる風流れ経路が形成され、
前記庫内ファンのそれぞれの送風量が相違することを特徴とする。
【００１０】
（３）本発明に係る自動販売機（請求項３）は、前記（１）または（２）において、前記商品ラック同士の間で下端から所定の高さの範囲に、断熱板または遮風板が設置されていることを特徴とする。
【００１１】
（４）本発明に係る自動販売機（請求項４）は、前記（１）乃至（３）の何れかにおいて、前記庫内熱交換器の入側または出側の一方または両方に、前記複数の庫内ファンにそれぞれ連通した熱交換器風胴が設置され、
該複数の熱交換器風胴のそれぞれと前記吸込側ダクトのそれぞれとが、それぞれ別個の吸風経路によって接続されていることを特徴とする。
【００１２】
（５）本発明に係る自動販売機（請求項５）は、前記（１）乃至（４）の何れかにおいて、前記送風経路または前記吸風経路の一方または両方が、可撓性を具備するホースによって形成されていることを特徴とする。
【００１３】
（６）本発明に係る自動販売機（請求項６）は、前記（１）乃至（５）の何れかについて、前記複数の商品ラックのうちの少なくとも１列の商品ラックにおいて、
前記吹出側ダクトの上方に追加吹出側ダクトが設置されると共に、前記吸込側ダクトの上方に追加吸込側ダクトが設置され、
前記吹出側ダクトと前記追加吹出側ダクトとが追加送風経路によって接続され、且つ、前記吸込側ダクトと前記追加吸込側ダクトとが追加吸風経路によって接続されていることを特徴とする。
【００１４】
（７）本発明に係る自動販売機（請求項７）は、前記（６）において、 前記追加吹出側ダクトおよび前記追加吸込側ダクトが着脱自在であることを特徴とする。
【００１５】
（８）さらに、本発明に係る自動販売機（請求項８）は、断熱材によって囲まれ前面に開口部を具備する商品収納庫と、
前記開口部を開閉する断熱扉と、
前記商品収納庫の前後方向および左右方向に配置され、商品を収納すると共に、下端に商品切り出し機構を具備する複数の商品ラックと、
該商品ラックの下方に設置され、前記商品切り出し機構によって切り出された商品を前面側に搬送するシューターと、
該シューターの下方に配置され、庫内空気を冷却または加熱する庫内熱交換器および庫内空気を循環させる複数の庫内ファンと、
を有し、
前記商品ラックのうち左右方向の一方側に位置する商品ラックのそれぞれについて、一方側の側板における下端部に一方側吹出ダクトが設置され、
前記商品ラックのうち左右方向の他方側に位置する商品ラックのそれぞれについて、他方側の側板における下端部に他方側吹出ダクトが設置され、
前記一方側吹出ダクトと、該一方側吹出ダクトに左右方向で対向する前記他方側吹出ダクトと、からなる吹出ダクトペアーが形成され、
前記複数の庫内ファンのそれぞれと前記吹出ダクトペアーのそれぞれとが、それぞれ別個の送風経路によって接続され、
前記吹出ダクトペアーのそれぞれにおいて、前記一方側吹出ダクトから前記他方側吹出ダクトに向けて、且つ、前記他方側吹出ダクトから前記一方側吹出ダクトに向けて、風流れが形成され、
前記庫内ファンのそれぞれの送風量が相違することを特徴とする。
【００１６】
（９）本発明に係る自動販売機（請求項９）は、前記（８）において、前記商品ラックの前後方向の間で下端から所定の高さの範囲に、断熱板または遮風板が設置されていることを特徴とする。
【００１７】
（１０）本発明に係る自動販売機（請求項１０）は、前記（８）または（９）において、前記シューターの前後方向で後方寄りに通気孔が形成され、該通気孔の下方に前記庫内熱交換器の入側が位置し、前記庫内熱交換器の出側に、前記複数の庫内ファンにそれぞれ連通した熱交換器風胴が設置されていることを特徴とする。
【００１８】
（１１）本発明に係る自動販売機（請求項１１）は、前記（８）乃至（１０）の何れかにおいて、 前記送風経路が、途中に分岐部が形成された略Ｙ字状ないし略Ｔ字状の可撓性を具備するホースによって形成されていることを特徴とする請求項８乃至１０の何れかに記載の自動販売機。
【００１９】
（１２）本発明に係る自動販売機（請求項１２）は、前記（８）乃至（１１）の何れかにおいて、前記複数の商品ラックのうちの少なくとも１列の商品ラックにおいて、前記一方側吹出ダクトの上方に追加一方側吹出ダクトが設置されると共に、該追加一方側吹出ダクトに対向するように、前記他方側吹出ダクトの上方に追加他方側吹出ダクトが設置され、
前記一方側吹出ダクトと前記追加一方側吹出ダクトとが追加一方側送風経路によって接続され、且つ、前記他方側吹出ダクトと前記追加他方側吹出ダクトとが追加他方側送風経路によって接続されていることを特徴とする。
【００２０】
（１３）本発明に係る自動販売機（請求項１３）は、前記（１２）において、 前記追加一方側吹出ダクトが前記一方側吹出ダクトに着脱自在で、且つ、前記追加他方側吹出ダクトが前記他方側吹出ダクトに着脱自在であることを特徴とする。
【００２１】
（１４）本発明に係る自動販売機（請求項１４）は、前記（１）乃至（１３）の何れかにおいて、前記商品収納庫が仕切板によって複数の商品室に分割され、該商品室の前後方向に、前記複数の商品ラックが配置されていることを特徴とする。
【発明の効果】
【００２２】
（ｉ）本発明の請求項１に係る自動販売機は、商品ラックの下端部において、一方の側板に吹出側ダクトが、他方の側板に吸込側ダクトが設置されているから、商品ラックの下端部において一方の側板から他方の側板に向かう空気流れが形成される。そして、かかる空気流れの量が商品ラック毎に相違するから、それぞれの商品ラックに収納された商品（少なくとも、最下段に収納された次販売商品）の温度を、同一商品収納庫にありながら相違させることが可能になる。
すなわち、商品ラック毎に商品温度を相違させるというよりきめ細かい温度制御によって、商品毎にその商品の賞味温度で商品を販売することが可能になるから、利用者の嗜好がより満たされ、販売数量の増加を期待することができる。
【００２３】
（ｉｉ）本発明の請求項２に係る自動販売機は、左右方向に配置されて複数の商品ラックにおいて、前記（ｉ）の効果が得られるから、所定温度に冷却または加熱する商品の数量を多くすることができる。
【００２４】
（ｉｉｉ）本発明の請求項３に係る自動販売機は、商品ラック同士の間に断熱板または遮風板が設置されているから、一方の商品ラックの下端部に形成される空気流れと、他方の商品ラックの下端部に形成される空気流れとの間で、熱の出入りや空気の混合（侵入）が防止される。したがって、特定の商品ラック（たとえば、商品温度が高い）のみに送風した際、隣接する送風されていない送風ラックの流れていない庫内空気（たとえば、より低い温度）が加熱されたり、あるいは、空気流れが生じたりするようなことがなくなる。つまり、当該商品ラックの空気温度が設計温度（目的温度）より低くなったり、隣接する商品ラック空気温度が設計温度（目的温度）より高くなったりすることがない。
よって、商品収納庫内の空気流れを設計通りに維持することができるから、商品ラック毎の商品温度がより正確になる。
【００２５】
（ｉｖ）本発明の請求項４に係る自動販売機は、複数の熱交換器風胴のそれぞれと前記吸込側ダクトのそれぞれとが、それぞれ別個の吸風経路によって接続されているから、商品ラック毎に、空気の循環路が分離される。したがって、特定の商品ラック（たとえば、商品温度が高い）のみに送風した際、隣接する商品ラックから庫内空気（たとえば、より低い温度）が吸い込まれるようなことがなくなる。つまり、当該商品ラックの吸込温度が設計温度（目的温度）より低くなることがない。
よって、商品収納庫内の空気流れを設計通りに維持することができるから、商品ラック毎の商品温度がより正確になる。
【００２６】
（ｖ）本発明の請求項５に係る自動販売機は、送風経路または吸風経路の一方または両方が可撓性を具備するホースによって形成されているから、送風経路または吸風経路の設置が容易になる。また、かかるホースは設置場所（経路の取り方）の自由度が高いことから、各機器との取り合いの制約が緩和され、その分、各機器の仕様や配置の選択の幅が拡大し、設計が容易になる。
【００２７】
（ｖｉ）本発明の請求項６に係る自動販売機は、追加吹出側ダクトおよび追加吸込側ダクトが設置されるから、商品ラックの下端部に形成された空気流れの上方に、同様の空気流れが追加して形成される。したがって、次販売商品を含む極限られた数の商品だけでなく、その後に販売される商品について、商品ラック毎に相違する温度に冷却または加熱することができる。
【００２８】
（ｖｉｉ）本発明の請求項７に係る自動販売機は、追加吹出側ダクトおよび前記追加吸込側ダクトが着脱自在であるから、冷却または加熱する商品の数量を変更することが可能になる。すなわち、収納された商品の種類や販売状況に応じて、過不足のない送風ができるから、よりきめ細かい商品温度の制御と共に、庫内熱交換器（冷凍サイクルや通電ヒーター）や庫内ファンの省エネを図ることができる。
【００２９】
（ｖｉｉｉ）さらに、本発明の請求項８に係る自動販売機は、一方側吹出ダクトと、これに右方向で対向する他方側吹出ダクトと、からなる吹出ダクトペアーが形成され、複数の庫内ファンのそれぞれと吹出ダクトペアーのそれぞれとが、それぞれ別個の送風経路によって接続され、吹出ダクトペアーのそれぞれにおいて、一方側吹出ダクトから他方側吹出ダクトに向けて、且つ、他方側吹出ダクトから一方側吹出ダクトに向けて、風流れが形成され、庫内ファンのそれぞれの送風量が相違することを特徴とする。
したがって、前記（ｉ）と同様の効果が得られる。このとき、吹出ダクトペアーに左右方向で複数列の商品が収納されている場合、一方側吹出ダクトに近い位置に収納された商品は、主に一方側吹出ダクトから吹き出された空気によって冷却または加熱され、また、他方側吹出ダクトに近い位置に収納された商品は、主に他方側吹出ダクトから吹き出された空気によって冷却または加熱されるから、それぞれの商品がより均一に加熱または冷却される。
すなわち、前記（ｉ）における本発明の請求項１に係る自動販売機では、吹出側ダクトから吸込側ダクトに向かう一方向の風流れが形成されるため、吹出側ダクトに近い位置に収納された商品と熱交換した後の暖まった冷風または冷やされた温風が、吸込側ダクトに近い位置に収納された商品を冷却または加熱するため、風下側の商品が冷却不足または加熱不足になって、左右方向の収納位置で商品温度にバラツキが生じるおそれがあったものが、本発明の請求項８に係る自動販売機ではかかるおそれが防止される。
【００３０】
（ｉｘ）さらに、本発明の請求項９に係る自動販売機は、商品ラックの前後方向の間で下端から所定の高さの範囲に、断熱板または遮風板が設置されているから、前後方向で隣接する商品ラック間で、空気流れの出入りがなくなり、隣接する商品ラックにおける空気温度が、それぞれ別個の設計温度（目的温度）により正確に維持されることになる。よって、商品ラック毎の商品温度が、それぞれ別個に設定され、より正確になる。
【００３１】
（ｘ）さらに、本発明の請求項１０に係る自動販売機は、シューターの前後方向で後方寄りに通気孔が形成され、該通気孔の下方に前記庫内熱交換器の入側が位置しているから、吹出ダクトペアーから商品ラック内に吹き出された空気は、下降しながらシューターに略沿って後方に向かって流れ、シューターの後方寄りに形成された通気孔を経由する「吸風経路」を描いて庫内熱交換器に吸引される。したがって、吸風経路が滑らかになり、商品との熱交換が安定すると共に、庫内ファンの負担増加が抑えられる。
【００３２】
（ｘｉ）さらに、本発明の請求項１１に係る自動販売機は、送風経路が、略Ｙ字状ないし略Ｔ字状の可撓性を具備するホースによって形成されているから、送風経路の配置の自由度が高く、また、設置が安価で容易になる。
【００３３】
（ｘｉｉ）さらに、本発明の請求項１２に係る自動販売機は、一方側吹出ダクトと追加一方側吹出ダクトとが一体的に二段重ねになり、同様に、他方側吹出ダクトと追加他方側吹出ダクトとが一体的に二段重ねになるから、商品ラックの最下端に収納された商品（次販売商品）だけでなく、その上に収納された商品（次次販売商品）等も冷却または加熱することができる。したがって、同時に複数の商品を販売する傾向が強い自動販売機に好適である。
【００３４】
（ｘｉｉｉ）さらに、本発明の請求項１３に係る自動販売機は、追加一方側吹出ダクトおよび追加他方側吹出ダクトが着脱自在であるから、販売形態（収納する商品の種類や設置場所）や季節等に応じて、冷却または加熱する商品の数量を変更することができる。
【００３５】
（ｘｉｖ）さらに、本発明の請求項１４に係る自動販売機は、複数の商品室を有し、商品室の前後方向に商品ラックが配置され、それぞれの商品ラック毎に商品温度を相違させることができるから、１台の自動販売機において、より多種類の商品を様々な嗜好に対応して販売することが可能になる。
【図面の簡単な説明】
【００３６】
【図１】本発明の実施の形態１に係る自動販売機を説明する正面視の断面図。
【図２】図１に示す自動販売機の右室を示す正面図と側面視の断面図。
【図３】図１に示す自動販売機の右室の平面視の断面図（高さ方向の中間位置）。
【図４】図１に示す自動販売機の右室の平面視の断面図（高さ方向の低い位置）。
【図５】図１に示す自動販売機の右室の構成部材を分離して示す斜視図。
【図６】図１に示す自動販売機の背面ダクトを説明する斜視図。
【図７】図１に示す自動販売機の右室の構成部材の組立状況を示す斜視図。
【図８】図１に示す自動販売機における気流解析による次販売商品の温度を推定した温度分布図。
【図９】本発明の実施の形態２に係る自動販売機の右室の一部を示す側面図および正面図。
【図１０】図９に示す自動販売機の吹出側ダクトを示す断面図。
【図１１】図９に示す自動販売機の吹出側ダクトの設置形態を示す断面図。
【図１２】本発明の実施の形態３に係る自動販売機の右室を示す正面図と側面視の断面図。
【図１３】図１２に示す自動販売機の右室の平面視の断面図（高さ方向中間位置）。
【図１４】図１２に示す自動販売機の右室の平面視の断面図（高さ方向低い位置）。
【図１５】図１２に示す自動販売機の右室の構成部材の組立状況を示す斜視図。
【発明を実施するための形態】
【００３７】
［実施の形態１］
図１〜図７は本発明の実施の形態１に係る自動販売機を説明するものであって、図１は正面視の断面図、図２は右室を示す正面図と側面視の断面図、図３は右室の平面視の断面図（高さ方向の中間位置）、図４は右室の平面視の断面図（高さ方向の低い位置）、図５は右室の構成部材を分離して示す斜視図、図６は背面ダクトを説明する斜視図、図７は、右室の構成部材の組立状況を示す斜視図、図８は気流解析による次販売商品の温度を推定した温度分布図である。なお、各図において、各構成部材は模式的に描かれているため、それぞれの縦横比や相対的な大きさは図示するものに限定するものではない。
【００３８】
（商品室）
図１および図２において、自動販売機１０００は、収納庫断熱材１００によって包囲され、前面（正面）に開口部（図示しない）を具備する商品収納庫１２０と、前記開口部を開閉する断熱扉１０１とを有し、商品収納庫１２０は、収納庫仕切板１０２によって左商品室１２０Ｌと右商品室１２０Ｒとに仕切られている。
なお、以下の説明において、商品収納庫１２０の前後方向で前面側を「＋ｘ方向」、後面（背面）側を「−ｘ方向」とし、商品収納庫１２０の左右方向で左商品室１２０Ｌ側を「−ｙ方向」、右商品室１２０Ｒ側を「＋ｙ方向」とし、商品収納庫１２０の上下方向で上側を「＋ｚ方向」、下側を「−ｚ方向」としている。
【００３９】
（商品ラック）
図３において、左商品室１２０Ｌには、複数の商品を収納すると共に、下端に商品切り出し機構１１０Ｌを具備する左室商品ラック１０Ｌが、前後方向に３行、左右方向に３列の合計９台が設置され、右商品室１２０Ｒには下端に商品切り出し機構１１０Ｒを具備する右室商品ラック１０Ｒが、前後方向に３行、左右方向に２列の合計６台が設置されている。
なお、以下、説明の便宜上、右商品室１２０Ｒにおける右室商品ラック１０Ｒについて、収納庫仕切板１０２に近い（一方側に相当する）列で最も前面（手前）に配置されたものを前左商品ラック１０ａと、前左商品ラック１０ａの右側「＋ｙ方向」に隣接したものを前右商品ラック１０ｂと称す。
【００４０】
また、前左商品ラック１０ａの後側「−ｘ方向」にラック断熱板１４０ａｃを介して隣接したものを中左商品ラック１０ｃと、中左商品ラック１０ｃの右側「＋ｙ方向」に隣接したものを中右商品ラック１０ｄと称す。
さらに、中左商品ラック１０ｃの後側「−ｘ方向」にラック断熱板１４０ｃｅを介して、隣接したものを後左商品ラック１０ｅと、後左商品ラック１０ｅの右側「＋ｙ方向」に隣接したものを後右商品ラック１０ｆと称す。
【００４１】
また、前右商品ラック１０ｂと中右商品ラック１０ｄとの間には、ラック断熱板１４０ｂｄが設置され、中右商品ラック１０ｄと後右商品ラック１０ｆとの間には、ラック断熱板１４０ｄｆが設置されている。
なお、ラック断熱板１４０ａｃ、ラック断熱板１４０ｂｄ、ラック断熱板１４０ｃｅおよびラック断熱板１４０ｄｆは、それぞれ下端から所定の高さにまで設置され、熱の交換や、空気の混合（侵入）を防止しているから、遮風板に同じである。
なお、以下の説明において、共通する内容については、名称の修飾語「前左、前右・・・・後左」、符号の添え字「ａ、ｂ・・・・ｆ」の記載を省略する場合がある。
【００４２】
図３において、左室商品ラック１０Ｌの下方には、切り出された商品を前面側に搬送する左室シューター１３０Ｌが設置され、左室シューター１３０Ｌの下方には、庫内空気を冷却または加熱する左室熱交換器（蒸発器等）２０Ｌおよび庫内空気を循環させる左室ファン３０Ｌが設置されている。同様に、右商品室１２０Ｒの右室シューター１３０Ｒの下方には、右室熱交換器２０Ｒおよび右室ファン３０Ｒが設置されている。
なお、以下の説明において、左商品室１２０Ｌおよび右商品室１２０Ｒのそれぞれに設置された部材について、同一または相等する機能を奏する部材については、名称の形容詞「左、右」および符号の添え字「Ｌ、Ｒ］の記載を省略する。
【００４３】
（庫内熱交換器）
図４において、左室熱交換器２０Ｌおよび右室熱交換器２０Ｒは、冷凍サイクル（図示しない）を構成するものであって、低圧低温の冷媒が供給されたときは、庫内空気を冷却し、高圧高温の冷媒が供給されたときは、庫内空気を加熱するものである。なお、庫内熱交換器２０は冷却を専用にするもの（蒸発器）であってもよく、あるいは、冷却を専用にするもの（蒸発器）および通電ヒーターを具備するものであってもよい。
【００４４】
（吸込風胴、吹出風胴）
そして、右室熱交換器２０Ｒの入側に設置された右室吸込風胴２１Ｒは入側仕切板２１ｓによって、第１吸込風胴２１ｂ、第２吸込風胴２１ｄおよび第３吸込風胴２１ｆに分割されている。また、右室熱交換器２０Ｒの出側に設置された右室吹出風胴２２Ｒは出側仕切板２２ｓによって、第１吸込風胴２１ｂに対向した範囲に第１吹出風胴２２ｂと、第２吸込風胴２１ｄに対向した範囲に第２吹出風胴２２ｄと、第３吸込風胴２１ｆに対向した範囲に第３吹出風胴２２ｆとに分割されている。
【００４５】
（右室ファン）
右室ファン３０Ｒは、第１吹出風胴２２ｂの出口に設置された第１ファン３０ａと、第２吹出風胴２２ｄの出口に設置された第２ファン３０ｃと、第３吹出風胴２２ｆの出口に設置された第３ファン３０ｅとの３台から構成されている。
【００４６】
（右ファン風胴）
そして、右室ファン３０Ｒの下流には右ファン風胴３１Ｒが設置され、右ファン風胴３１Ｒは、第１ファン３０ａ、第２ファン３０ｃおよび第３ファン３０ｅに対応して、それぞれの下流側に、ファン風胴仕切板３１ｓによって、それぞれ第１ファン風胴３１ａ、第２ファン風胴３１ａおよび第３ファン風胴３１ａが設置されている。
【００４７】
（吹出側ダクト）
前左商品ラック１０ａの左側（−ｙ側、一方側に相当する）の左側板１１ａの下端部に第１吹出側ダクト４０ａが設置されている。第１吹出側ダクト４０ａは、直方体の箱体であって、第１ファン３０ａから送られた空気を受け入れる第１給気孔４１ａと、前左商品ラック１０ａ内（＋ｙ方向に同じ）に庫内空気を吹き出すための第１吹出孔４２ａとが形成されている。
【００４８】
（吸込側ダクト）
図５において、前右商品ラック１０ｂの右側（＋ｙ側、他方側に相当する）の右側板１２ｂの下端部に第１吸込側ダクト５０ｂが設置されている。第１吸込側ダクト５０ｂは、直方体の箱体であって、庫内空気を吸い込む第１吸込孔５１ｂと、吸い込んだ庫内空気を第１ファン３０ａに向けて排気するための第１排気孔５２ａとが形成されている。
【００４９】
（ラック通気孔）
前左商品ラック１０ａの左側板１１ａには、第１吹出孔４２ａに相等する位置にラック通気孔１３ａが形成されている。なお、第１吹出側ダクト４０ａの一部が左側板１１ａによって形成される場合には、左側板１１ａに第１吹出孔４２ａが直接形成されることになる。そして、前左商品ラック１０ａの右側（＋ｙ側、他方側に相当する）の右側板１２ａの下端部にラック通気孔１４ａが形成されている。
また、前右商品ラック１０ｂの右側板１２ｂには、第２吸込孔５１ｂに相等する位置にはラック通気孔１４ｂが形成されている。なお、第２吸込側ダクト５０ｂの一部が右側板１２ｂによって形成される場合には、右側板１２ｂに第１吸込孔５１ｂが形成されることになる。そして、前右商品ラック１０ｂの左側（−ｙ側、一方側に相当する）の左側板１１ｂには、ラック通気孔１３ｂが、それぞれ形成されている。
【００５０】
したがって、第１吹出側ダクト４０ａの第１吹出孔４２ａから吹き出された空気は、前左商品ラック１０ａを右方向（＋ｙ方向）に流れ、右側板１２ａおよび左側板１１ｂにそれぞれ形成されたラック通気孔１４ａおよびラック通気孔１３ｂを通過して、前右商品ラック１０ｂに流入し、さらに、右方向（＋ｙ方向）に流れ、第１吸込側ダクト５０ｂの第１吸込孔５１ｂから吸い込まれる。
なお、ラック通気孔１３ａ、１４ｂとして略矩形を、ラック通気孔１４ａ、１３ｂとして複数の円形を図示しているが、本発明はこれに限定するものではなく、その形状や数量は限定するものではない。
【００５１】
そして、中左商品ラック１０ｃおよび中右商品ラック１０ｄにおいても同様であって、中左商品ラック１０ｃの下端部に設置された第２吹出側ダクト４０ｃの第２吹出孔４２ｃから吹き出された空気は、中左商品ラック１０ｃを右方向（＋ｙ方向）に流れ、右側板１２ｃおよび左側板１１ｄにそれぞれ形成されたラック通気孔１４ｃおよびラック通気孔１３ｄを通過して、中右商品ラック１０ｄに流入し、さらに、右方向（＋ｙ方向）に流れ、中右商品ラック１０ｄの下端部に設置された第２吸込側ダクト５０ｄの第２吸込孔５１ｄから吸い込まれる。
さらに、後左商品ラック１０ｅおよび後右商品ラック１０ｆにおいても同様であって、後左商品ラック１０ｅの下端部に設置された第３吹出側ダクト４０ｅの第３吹出孔４２ｅから吹き出された空気は、後左商品ラック１０ｅを右方向（＋ｙ方向）に流れ、右側板１２ｅおよび左側板１１ｆにそれぞれ形成されたラック通気孔１４ｅおよびラック通気孔１３ｆを通過して、後右商品ラック１０ｆに流入し、さらに、右方向（＋ｙ方向）に流れ、後右商品ラック１０ｆの下端部に設置された第３吸込側ダクト５０ｆの第３吸込孔５１ｆから吸い込まれる。
【００５２】
（背面ダクト）
図６において、左商品室１２０Ｌおよび右商品室１２０Ｒの後面（背面）には、左室背面ダクト６０Ｌおよび右室背面ダクト６０Ｒが設置されている。
右室背面ダクト６０Ｒはダクト前面板６１とダクト後面板６４とに挟まれた所定間隔の空間であって、Ｌ字状のダクト仕切板６５ｂ、６５ｄ、６５ｆによって、第１背面風胴６０ｂ、第２背面風胴６０ｄ、第３背面風胴６０ｂに分割されている。
ダクト前面板６１には、第１ダクト吸込孔６２ｂ、第２ダクト吸込孔６２ｄ、第３ダクト吸込孔６２ｆと、右室吸込風胴２１Ｒに連通したダクト通気孔６３と、が形成されている。このとき、第１ダクト吸込孔６２ｂと第１背面風胴６０ｂと第１吸込風胴２１ｂとが連通し、第２ダクト吸込孔６２ｄと第２背面風胴６０ｄと第２吸込風胴２１ｄとが連通し、第３ダクト吸込孔６２ｆと第３背面風胴６０ｆと第３吸込風胴２１ｆとが連通している。
【００５３】
（吹出ホース）
図４および図７において、第１ファン風胴３１ａと第１吹出側ダクト４０ａ（正確には、第１給気孔４１ａ）とが第１吹出ホース７１ａによって、第２ファン風胴３１ｃと第２吹出側ダクト４０ｃ（正確には、第２給気孔４１ｃ）とが第２吹出ホース７１ｃによって、第３ファン風胴３１ｅと第３吹出側ダクト４０ｅ（正確には、第３給気孔４１ｅ）とが第１吹出ホース７１ｅによって、それぞれ接続されている。
【００５４】
（吸込ホース）
また、第１吸込側ダクト５０ｂ（正確には、第１吸込孔５１ｂ）と第１背面風胴６０ｂ（正確には、第１ダクト吸込孔６２ｂ）とが第１吸込ホース７２ｂによって、第２吸込側ダクト５０ｄ（正確には、第２吸込孔５１ｄ）と第２背面風胴６０ｄ（正確には、第２ダクト吸込孔６２ｄ）とが第２吸込ホース７２ｄによって、第３吸込側ダクト５０ｆ（正確には、第３吸込孔５１ｆ）と第３背面風胴６０ｆ（正確には、第３ダクト吸込孔６２ｆ）とが第３吸込ホース７２ｆによって、それぞれ接続されている。
【００５５】
（送風経路）
したがって、第１ファン３０ａによって送られた空気は、第１吹出ホース７１ａを経由して第１吹出側ダクト４０ａに供給され、前左商品ラック１０ａの下端部に収納された商品および前右商品ラック１０ｂの下端部に収納された商品を冷却または加熱した後、第１吸込側ダクトに吸い込まれる。さらに、第１吸込ホース７２ｂ、第１背面風胴６０ｂおよび第１吸込風胴２１ｂを経由して右室熱交換器２０Ｒを通過し、冷却または加熱される。そして、第１吹出風胴２２ｂを経由して第１ファン３０ａに戻る。
【００５６】
同様に、第２ファン３０ｃによって送られた空気は、中左商品ラック１０ｃの下端部に収納された商品および中右商品ラック１０ｄの下端部に収納された商品を冷却または加熱し、第３ファン３０ｃによって送られた空気は、後左商品ラック１０ｅの下端部に収納された商品および後右商品ラック１０ｆの下端部に収納された商品を冷却または加熱し、それぞれ、別個の送風経路において庫内空気が循環する。
【００５７】
このとき、第１ファン３０ａ、第２ファン３０ｃおよび第３ファン３０ｅは、それぞれ個別に送風量を設定することができるから、前左商品ラック１０ａおよび前右商品ラック１０ｂに収納された次販売商品（商品切り出し機構１１０の近くに収納された商品）の温度と、中左商品ラック１０ｃおよび中右商品ラック１０ｄに収納された次販売商品の温度と、 後左商品ラック１０ｅおよび後右商品ラック１０ｆに収納された次販売商品の温度とを、それぞれ所望の温度に設定することが可能になる。
【００５８】
なお、以上は、右商品室１２０Ｒに、左右方向に２列、前後方向に３行の商品ラック１０が配置されているが、本発明はこれに限定するものではなく、列数および行数は何れであってもよい。１列の場合には、たとえば、前左商品ラック１０ａの「＋ｙ側（他方側）」の右側板１２ａに、第１吸込側ダクト５０ｂが設置されているとみなす。また、３列以上の場合には、「最も＋ｙ側（他方側）」に配置された商品ラック１０を前右商品ラック１０ｂとみなし、中間に、左右の側面に左方向（＋ｙ方向）の風流れを形成するための通気孔が、両側面に形成された商品ラック１０が配置されることになる。
また、左商品室１２０Ｌにおいて、同様に吹出側ダクト４０および吸込側ダクト５０を設置してもよい。
また、右側に吹出側ダクトを、左側に吸込側ダクトを、それぞれ配置して、商品ラック内を右側から左側に向かって冷却（加熱）空気が流れるようにしてもよい。
【００５９】
（気流解析結果）
図８は、気流解析による次販売商品の温度を推定した結果である。図８の（ａ）は商品ラック１０が左右方向に１列の場合、図８の（ｂ）は商品ラック１０が左右方向に２列（右商品室１２０Ｒに相等）の場合、図８の（ｃ）は商品ラック１０が左右方向に３列（左商品室１２０Ｌに相等）の場合である。
このとき、それぞれ前後方向に３行の商品ラックが配置され、前面寄りの行の次販売商品の目標温度が１０℃±２℃、中間の行の次販売商品の目標温度が８℃±２℃、後面寄りの行の次販売商品の目標温度が３℃±２℃、である。
そして、目標温度３℃±２℃のための送風量（１００％）に対し、目標温度８℃±２℃のための送風量はその３０％、目標温度１０℃±２℃のための送風量はその１０％に減らしている。
【００６０】
図８から、前後方向で明りょうに相違する温度帯が形成されている。特に、左右方向に商品ラックが１列の場合、すなわち、商品ラックの左側面に吹出側ダクトが、右側面に吸込側ダクトが、それぞれ設置された場合には、前後方向のそれぞれにおいて、目標温度に冷却されている。
また、左右方向に商品ラックが２列または３列の場合、吹出側ダクトに近い程、より冷却され、吸込側ダクトに近い程、冷却が弱くなっている。特に、目標温度が低くなると、かかる傾向が顕著になる。
【００６１】
［実施の形態２］
図９〜図１１は本発明の実施の形態２に係る自動販売機を説明するものであって、図９(ａ)、（ｂ）は右室の一部を示す側面図および図９(ｃ）は正面図、図１０は構成部材（吹出側ダクト）を示す断面図、図１１は構成部材（吹出側ダクト）の設置形態を示す断面図である。なお、各図において、各構成部材は模式的に描かれているため、それぞれの縦横比や相対的な大きさは図示するものに限定するものではない。また、実施の形態１と同じ部分または相等する部には同じ符号を付し、一部の説明を省略する。
【００６２】
図９において、自動販売機２０００は、自動販売機１０００の右商品室１２０Ｒにおける第１吹出側ダクト４０ａおよび第１吸込側ダクト５０ｂ等を、それぞれ上下方向に３段配置している。すなわち、前左商品ラック１０ａおよび前右商品ラック１０ｂの下端部に収納された商品の冷却（または加熱、「部分冷却（加熱）」に同じ）だけでなく、前左商品ラック１０ａおよび前右商品ラック１０ｂの収納された略全ての商品の冷却（または加熱、「全体冷却（加熱）」に同じ）を可能にしたものである。
すなわち、前左商品ラック１０ａの左側板１１ａの左側に、下から上に向かって、第１下吹出側ダクト１４０ａ、第１中吹出側ダクト２４０ａ、第１上吹出側ダクト３４０ａ、が配置され、前右商品ラック１０ｂの右側板１２ｂの右側に、下から上に向かって、第１下吸込側ダクト１５０ｂ、第１中吸込側ダクト２５０ｂ、第１上吸込側ダクト３５０ｂ、が配置されている。
【００６３】
そして、前左商品ラック１０ａの右側板１２ａおよび前右商品ラック１０ｂの左側板１１ｂには、両商品ラックを連通するラック通気孔が形成されている。
したがって、全室冷却（加熱）のとき、第１下吹出側ダクト１４０ａと第１下吸込側ダクト１５０ｂとを連通する水平方向の風流れと、第１中吹出側ダクト２４０ａと第１中吸込側ダクト２５０ｂとを連通する水平方向の風流れと、第１上吹出側ダクト３４０ａと第１上吸込側ダクト３５０ｂとを連通する水平方向の風流れと、が形成される。なお、かかる水平方向の風流れは、厳密に分離されるものではなく、一部は水平方向から外れ、互いの一部が混合した流れをするものである。
【００６４】
また、中左商品ラック１０ｃおよび中右商品ラック１０ｄにおいても同様に、全室冷却（加熱）のとき、第２下吹出側ダクト１４０ｃと第２下吸込側ダクト１５０ｄとを連通する水平方向の風流れと、第２中吹出側ダクト２４０ｃと第２中吸込側ダクト２５０ｄとを連通する水平方向の風流れと、第２上吹出側ダクト３４０ｃと第２上吸込側ダクト３５０ｄとを連通する水平方向の風流れと、が形成される。
さらに、後左商品ラック１０ｅおよび後右商品ラック１０ｆにおいても同様に、全室冷却（加熱）のとき、第３下吹出側ダクト１４０ｅと第３下吸込側ダクト１５０ｆとを連通する水平方向の風流れと、第３中吹出側ダクト２４０ｅと第３中吸込側ダクト２５０ｆとを連通する水平方向の風流れと、第３上吹出側ダクト３４０ｅと第３上吸込側ダクト３５０ｆとを連通する水平方向の風流れと、が形成される。
【００６５】
なお、前左商品ラック１０ａと中左商品ラック１０ｃとの間には第２上吹出側ダクト３４０ｃに相等する高さまで、ラック断熱板１４０ａｃが設置され、前右商品ラック１０ｂと中右商品ラック１０ｄとの間には第２上吸込側ダクト３５０ｄに相等する高さまで、ラック断熱板１４０ｂｄが設置されている。
また、同様に、中左商品ラック１０ｃと後左商品ラック１０ｅとの間には第３上吹出側ダクト３４０ｅに相等する高さまで、ラック断熱板１４０ｃｅが設置され、中右商品ラック１０ｄと後右商品ラック１０ｆとの間には第３上吸込側ダクト３５０ｆに相等する高さまで、ラック断熱板１４０ｄｆが設置されている。
【００６６】
（吹出側ダクト）
図１０の（ａ）において、第１下吹出側ダクト１４０ａは、直方体の箱体であって、一方の端面に第１下給気孔１４１ａと、側面に第１下吹出孔１４２ａと、他方の端面に第１下連通孔１４３ａとが形成されている。
そして、第１下給気孔１４１ａを取り囲んで、箱体の外側に突出する筒状の第１下フランジ１４４ａが設置されている。また、第１下連通孔１４３ａには、これを開閉する第１下開閉扉１４５ａが箱体の内側に設置され、第１下開閉扉１４５ａは常時、第１下連通孔１４３ａを閉じる方向に付勢されている。
また、第１中吹出側ダクト２４０ａ、第１上吹出側ダクト３４０ａ、第１下吹出側ダクト１４０ａも同じ構造であって、それぞれ対応する部位には、符号の数字の下二桁が同じ数字を付し、説明を省略する。
【００６７】
図１０の（ｂ）において、第１下吹出側ダクト１４０ａの上に第１中吹出側ダクト２４０ａが載置され、両者が連通している。すなわち、第１下吹出側ダクト１４０ａの第１下連通孔１４３ａに、第１中吹出側ダクト２４０ａの第１中フランジ２４４ａが挿入され、第１下吹出側ダクト１４０ａの第１下開閉扉１４５ａが回動している。
【００６８】
図１１の（ａ）において、全室冷却（加熱）のとき、第１下吹出側ダクト１４０ａ、第１中吹出側ダクト２４０ａおよび第１上吹出側ダクト３４０ａが、互いに連通している。
このとき、第１上吹出側ダクト３４０ａの第１上連通孔３４３ａは第１上開閉扉３４５ａは閉じているから、第１上吹出側ダクト３４０ａに供給された空気は、全て第１上吹出孔３４２ａから吹き出すことになる。
【００６９】
図１１の（ｂ）において、部分冷却（加熱）のとき、第１下吹出側ダクト１４０ａに第１中吹出側ダクト２４０ａが載置されているものの、第１中吹出側ダクト２４０ａの第１中フランジ２４４ａが上に、第１中連通孔２４３ａが下にあるため、第１下連通孔１４３ａは第１下開閉扉１４５ａによって閉じられている（同時に、第１中連通孔２４３ａは第１中開閉扉２４５ａによって閉じられている）。したがって、第１下吹出側ダクト１４０ａに供給された空気は、全て第１下吹出孔１４２ａから吹き出すことになる。
【００７０】
なお、第１上吹出側ダクト３４０ａは、第１上フランジ３４４ａが上に、第１上連通孔３４３ａが下にあるため、第１上連通孔３４３ａに第１中吹出側ダクト２４０ａの第１中フランジ２４４ａが挿入されている。
すなわち、第１中吹出側ダクト２４０ａおよび第１上吹出側ダクト３４０ａは、部分冷却（庫内への空気を吹き出さない）の場合であっても、全体冷却の場合と同じ位置で、保管（待機）することができる。よって、これらの吹出側ダクトの紛失を防止することができる。
以上は、第１吹出側ダクト１４０ａ等について説明しているが、その他の吹出側ダクトや吸込側ダクトについても、第１下吹出側ダクト１４０ａ等に同じであるから、説明を省略する。また、本発明における吸込側ダクトや吹出側ダクトは、図示する形態に限定するものではない。
【００７１】
［実施の形態３］
図１２〜図１５は本発明の実施の形態３に係る自動販売機を説明するものであって、図１２は右室を示す正面図と側面視の断面図、図１３は右室の平面視の断面図（高さ方向の中間位置）、図１４は右室の平面視の断面図（高さ方向の低い位置）、図１５は、右室の構成部材の組立状況を示す斜視図である。なお、実施の形態１と同じ部分または相等する部分には同じ符号を付し、一部の説明を省略する。このとき、それぞれの部材の同一または相等する機能の説明においては、部材名称の形容詞「左、右」および符号の添え字「Ｌ、Ｒ」の記載を省略する。
【００７２】
（商品室）
図１２において、自動販売機３０００は、自動販売機１０００（実施の形態１）と同様に、左商品室１２０Ｌと右商品室１２０Ｒとを有し、右商品室１２０Ｒには、前後方向に３行、左右方向に２列の合計６台の右室商品ラック１０Ｒが設置されている。そして、右室商品ラック１０Ｒを実施の形態１に準じて、前左商品ラック１０ａ、前右商品ラック１０ｂ、中左商品ラック１０ｃ、中右商品ラック１０ｄ、後左商品ラック１０ｅ、および後右商品ラック１０ｆと称している。また、ラック断熱板１４０ａｃ、ラック断熱板１４０ｂｄ、ラック断熱板１４０ｃｅ、およびラック断熱板１４０ｄｆが設置されている。
【００７３】
（シューター）
右室商品ラック１０Ｒの下方（右室商品ラック１０Ｒの下方）には、切り出された商品を前面側に搬送する右室シューター１３０Ｒが設置され、右室シューター１３０Ｒの下方には、後方寄りから前方に向かって庫内空気を冷却または加熱する右室熱交換器（蒸発器等）２０Ｒと、庫内空気を循環させる右室ファン３０Ｒとが設置されている。
右室シューター１３０Ｒの後方寄りの位置、すなわち、右室熱交換器２０Ｒの吸込側の上方の位置に、通気孔１３０Ｒが形成されている。
【００７４】
（吹出風胴）
そして、右室熱交換器２０Ｒの出側に設置された右室吹出風胴２２Ｒは出側仕切板２２ｓによって、第１吸込風胴２１ｂに対向した範囲に第１吹出風胴２２ｂと、第２吸込風胴２１ｄに対向した範囲に第２吹出風胴２２ｄと、第３吸込風胴２１ｆに対向した範囲に第３吹出風胴２２ｆとに分割されている。
【００７５】
（右室ファン）
右室ファン３０Ｒは、第１吹出風胴２２ｂの出口に設置された第１ファン３０ａと、第２吹出風胴２２ｄの出口に設置された第２ファン３０ｃと、第３吹出風胴２２ｆの出口に設置された第３ファン３０ｅとの３台から構成されている。
【００７６】
（右ファン風胴）
そして、右室ファン３０Ｒの下流には右ファン風胴３１Ｒが設置され、右ファン風胴３１Ｒは、第１ファン３０ａ、第２ファン３０ｃおよび第３ファン３０ｅに対応して、それぞれの下流側に、ファン風胴仕切板３１ｓによって、それぞれ第１ファン風胴３１ａ、第２ファン風胴３１ｃおよび第３ファン風胴３１ｅが設置されている。
【００７７】
（吹出ダクト）
自動販売機３０００は、自動販売機１０００における吸込側ダクト５０を吹出ダクトに置き換えて、対向する一対の吹出ダクトからなる吹出ダクトペアーを形成し、互いに他方に向けて空気を吹き出すようにしたものである。
すなわち、前左商品ラック１０ａの左側（−ｙ側、一方側に相当する）の左側板１１ａの下端部に第１一方側吹出ダクト４０ａが設置されている。第１一方側吹出ダクト４０ａは、直方体の箱体であって、第１ファン３０ａから送られた空気を受け入れる第１一方側給気孔４１ａと、前左商品ラック１０ａ内（＋ｙ方向に同じ）に庫内空気を吹き出すための第１一方側吹出孔４２ａとが形成されている。
また、前右商品ラック１０ｂの右側（＋ｙ側、他方側に相当する）の右側板１２ｂの下端部に第１他方側吹出ダクト４０ｂが設置されている。第１他方側吹出ダクト４０ｂは、直方体の箱体であって、第１ファン３０ａから送られた空気を受け入れる第１他方側給気孔４１ｂと、前左商品ラック１０ａ内（−ｙ方向に同じ）に庫内空気を吹き出すための第１他方側吹出孔４２ｂとが形成されている。
すなわち、第１一方側吹出ダクト４０ａと第１他方側吹出ダクト４０ｂとによって、吹出ダクトペアーが形成されている。
【００７８】
（ラック通気孔）
前左商品ラック１０ａの左側板１１ａには、第１一方側吹出孔４２ａに相等する位置にラック通気孔１３ａが形成されている。なお、第１一方側吹出ダクト４０ａの一部が左側板１１ａによって形成される場合には、左側板１１ａに第１一方側吹出孔４２ａが直接形成されることになる。
また、前右商品ラック１０ｂの右側板１２ｂには、第１他方側吹出孔４１ｂに相等する位置にラック通気孔１４ｂが形成されている。なお、第１他方側吹出孔４１ｂの一部が右側板１２ｂによって形成される場合には、右側板１２ｂに第１他方側吹出孔４１ｂが形成されることになる。
なお、前左商品ラック１０ａの右側（＋ｙ側、他方側に相当する）の右側板１２ａの下端部にラック通気孔１４ａが形成され、前右商品ラック１０ｂの左側（−ｙ側、一方側に相当する）の左側板１１ｂにラック通気孔１３ｂが、それぞれ形成されているが、ラック通気孔１４ａおよびラック通気孔１３ｂの形成を省略してもよい。
【００７９】
そして、中左商品ラック１０ｃおよび中右商品ラック１０ｄにおいても同様であって、中左商品ラック１０ｃの下端部に設置された第２一方側吹出ダクト４０ｃ（第２一方側給気孔４１ｃおよび第２一方側吹出孔４２ｃを具備する）と、中右商品ラック１０ｄの下端部に設置された第２他方側吹出ダクト４０ｄ（第２他方側給気孔４１ｄおよび第２他方側吹出孔４２ｄを具備する）と、によって吹出ダクトペアーが形成されている。
さらに、後左商品ラック１０ｅの下端部に設置された第３一方側吹出ダクト４０ｅ（第３一方側給気孔４１ｅおよび第３一方側吹出孔４２ｅを具備する）と、後右商品ラック１０ｆの下端部に設置された第３他方側吹出ダクト４０ｆ（第３他方側給気孔４１ｆおよび第３他方側吹出孔４２ｆを具備する）と、によって吹出ダクトペアーが形成されている。
【００８０】
（吹出ホース）
図１４および図１５において、第１ファン風胴３１ａと第１一方側吹出ダクト４０ａ（正確には、第１一方側給気孔４１ａ）とが、第１分岐部７３ａを具備する第１一方側吹出ホース７１ａによって接続され、第１分岐部７３ａと第１他方側吹出ダクト４０ｂ（正確には、第１他方側給気孔４１ｂ）とが第１他方側吹出ホース７１ｂによって接続されている。
したがって、第１ファン３０ａによって送られた空気が、第１一方側吹出ダクト４０ａおよび第１他方側吹出ダクト４０ｂの双方に供給される。なお、第１分岐部７３ａの構成は限定するものではなく、第１一方側吹出ダクト４０ａおよび第１他方側吹出ダクト４０ｂのそれぞれに、等量の風が供給されるようにしても、あるいは、所定の割合で相違する量の風が供給されるようにしてもよい。
同様に、第２ファン風胴３１ｂと第２一方側吹出ダクト４０ｃとが、第２分岐部７３ｃを具備する第２一方側吹出ホース７１ｃによって接続され、第２分岐部７３ｃと第２他方側吹出ダクト４０ｄとが第２他方側吹出ホース７１ｄによって接続されている。
さらに、第３ファン風胴３１ｃと第２一方側吹出ダクト４０ｅとが、第３分岐部７３ｅを具備する第３一方側吹出ホース７１ｅによって接続され、第３分岐部７３ｅと第３他方側吹出ダクト４０ｆとが第３他方側吹出ホース７１ｆによって接続されている。
【００８１】
（送風経路）
したがって、第１ファン３０ａによって送られた空気は、第１一方側吹出ホース７１ａおよび第１他方側吹出ホース７１ｂを経由して、第１一方側吹出ダクト４０ａおよび第１他方側吹出ダクト４０ｂに供給される。
そして、第１一方側吹出ダクト４０ａの第１一方側吹出孔４２ａから吹き出された空気は、前左商品ラック１０ａを右方向（＋ｙ方向）に流れ、前左商品ラック１０ａの最下端に収容された商品を冷却または加熱する。また、同様に、第１他方側吹出ダクト４０ｂの第１他方側吹出孔４２ｂから吹き出された空気は、前右商品ラック１０ｂを左方向（−ｙ方向）に流れ、前右商品ラック１０ｂの最下端に収容された商品を冷却または加熱する。
さらに、右側板１２ａに到達した空気および左側板１１ｂに到達した空気は、それぞれ前左商品ラック１０ａおよび前右商品ラック１０ｂの下方に流出し、シューター１３０Ｒに形成された通気孔１３１Ｒを経由して右室熱交換器２０Ｒに吸い込まれる。
【００８２】
同様に、第２ファン３０ｃによって送られた空気は分流され、一方の空気は中左商品ラック１０ｃの下端部に収納された商品を加熱または冷却し、他方の空気は中右商品ラック１０ｄの下端部に収納された商品を加熱または冷却する。
さらに、第３ファン３０ｅによって送られた空気は分流され、一方の空気は後左商品ラック１０ｅの下端部に収納された商品を加熱または冷却し、他方の空気は後右商品ラック１０ｆの下端部に収納された商品を加熱または冷却する。
【００８３】
このとき、第１ファン３０ａ、第２ファン３０ｃおよび第３ファン３０ｅは、それぞれ個別に送風量を設定することができるから、前左商品ラック１０ａおよび前右商品ラック１０ｂに収納された次販売商品（商品切り出し機構１１０の近くに収納された商品）の温度と、中左商品ラック１０ｃおよび中右商品ラック１０ｄに収納された次販売商品の温度と、 後左商品ラック１０ｅおよび後右商品ラック１０ｆに収納された次販売商品の温度とを、それぞれ所望の温度に設定することが可能になる。
なお、前記のように、第１分岐部７３ａにおいて空気の流量が相違するように分岐しておけば、前左商品ラック１０ａに収納された次販売商品と、前左商品ラック１０ａに収納された次販売商品とを、相違する温度に冷却または加熱することができる。また、第２分岐部７３ｃおよび第３分岐部７３ｅにおいても同様である。
【００８４】
なお、以上は、右商品室１２０Ｒに、左右方向に２列、前後方向に３行の商品ラック１０Ｒが配置されているが、本発明はこれに限定するものではなく、列数および行数は何れであってもよい。１列の場合には、たとえば、前左商品ラック１０ａの「＋ｙ側（他方側）」の右側板１２ａに、第１他方側吹出ダクト４０ｂが設置されているとみなす。
また、３列以上の場合には、「最も＋ｙ側（他方側）」に配置された商品ラック１０を前右商品ラック１０ｂとみなし、中間に、左右の側面に左方向（＋ｙ方向）の風流れを形成するための通気孔が、両側面に形成された商品ラック１０が配置されることになる。
また、左商品室１２０Ｌにおいて、同様に吹出ダクト４０および吸込側ダクト５０を設置してもよい。
さらに、自動販売機２０００（実施の形態２）に準じて、第１一方側吹出ダクト４０ａおよび第１他方側吹出ダクト４０ｂ等の上、追加第１一方側吹出ダクトおよび追加第１他方側吹出ダクトをそれぞれ設置するようにしてもよい。
【００８５】
（実施例の効果）
表１は、自動販売機３０００の実施例における、次販売商品の温度を測定して結果を示している。
右室４０Ｒには、左右方向に２列、前後方向に３行の商品ラック１０Ｒ（前左商品ラック１０ａ等）が配置され、前左商品ラック１０ａ等のそれぞれには、前後方向に２本の商品が収納されている。
前左商品ラック１０ａは缶ラックで、前右商品ラック１０ｂはペットラックであって、それぞれ、設定温度が３℃である。このとき、次販売商品間の温度バラツキは最大「２．９−２．１＝０．８（℃）」、設定温度からの偏位は最大「３．０−２．１＝０．９（℃）」と、小さくなっている。
【００８６】
また、中左商品ラック１０ｃは缶ラックで、中右商品ラック１０ｄはペットラックであって、それぞれ、設定温度が８℃である。このとき、次販売商品間の温度バラツキは最大「８．８−７．３＝１．５（℃）」、設定温度からの偏位は最大「８．８−８．０＝０．８（℃）」と、小さくなっている。
また、後左商品ラック１０ｅは缶ラックで、後右商品ラック１０ｆはペットラックであって、それぞれ、設定温度が１０℃である。このとき、次販売商品間の温度バラツキは最大「１１．１−９．９＝１．２（℃）」、設定温度からの偏位は最大「１１．１−１０．０＝１．１（℃）」と、小さくなっている。
【００８７】
【表１】
2010262589.tif 000003
【産業上の利用可能性】
【００８８】
本発明によれば、同一商品収納庫に収納されていながら、商品ラック毎に、それぞれ相違する商品温度（販売時の温度）に商品を冷却（または加熱）することが可能になるから、各種自動販売機として広く利用することができる。
【符号の説明】
【００８９】
１０Ｌ 左室商品ラック
１０Ｒ 右室商品ラック
１０ａ 前左商品ラック
１０ｂ 前右商品ラック
１０ｃ 中左商品ラック
１０ｄ 中右商品ラック
１０ｅ 後左商品ラック
１０ｆ 後右商品ラック
１１ａ 左側板
１１ｂ 左側板
１１ｄ 左側板
１１ｆ 左側板
１２ａ 右側板
１２ｂ 右側板
１２ｃ 右側板
１２ｅ 右側板
１３ａ ラック通気孔
１３ｂ ラック通気孔
１３ｄ ラック通気孔
１３ｆ ラック通気孔
１４ａ ラック通気孔
１４ｂ ラック通気孔
１４ｃ ラック通気孔
１４ｅ ラック通気孔
２０Ｌ 左室熱交換器
２０Ｒ 右室熱交換器
２１Ｒ 右室吸込風胴
２１ｂ 第１吸込風胴
２１ｄ 第２吸込風胴
２１ｆ 第３吸込風胴
２１ｓ 入側仕切板
２２Ｒ 右室吹出風胴
２２ｂ 第１吹出風胴
２２ｄ 第２吹出風胴
２２ｆ 第３吹出風胴
２２ｓ 出側仕切板
３０Ｌ 左室ファン
３０Ｒ 右室ファン
３０ａ 第１ファン
３０ｃ 第２ファン
３０ｅ 第３ファン
３１Ｒ 右ファン風胴
３１ａ 第１ファン風胴
３１ｃ 第２ファン風胴
３１ｅ 第３ファン風胴
３１ｓ ファン風胴仕切板
４０ａ 第１吹出側ダクト（第１一方側吹出ダクト）
４０ｂ 第１他方側吹出ダクト
４０ｃ 第２吹出側ダクト（第２一方側吹出ダクト）
４０ｄ 第２他方側吹出ダクト
４０ｅ 第３吹出側ダクト（第２一方側吹出ダクト）
４０ｆ 第３他方側吹出ダクト
４１ａ 第１給気孔（第１一方側給気孔）
４１ｂ 第１他方側吹出孔
４１ｃ 第２給気孔（第２一方側給気孔）
４１ｄ 第２他方側吹出孔
４１ｅ 第３給気孔（第３一方側給気孔）
４１ｆ 第３他方側吹出孔
４２ａ 第１吹出孔（第１一方側吹出孔）
４２ｂ 第１他方側吹出孔
４２ｃ 第２吹出孔（第２一方側吹出孔）
４２ｄ 第２他方側吹出孔
４２ｅ 第３吹出孔（第３一方側吹出孔）
４２ｆ 第３他方側吹出孔
５０ｂ 第１吸込側ダクト
５０ｄ 第２吸込側ダクト
５０ｆ 第３吸込側ダクト
５１ｂ 第１吸込孔
５１ｄ 第２吸込孔
５１ｆ 第３吸込孔
５２ａ 第１排気孔
５２ｄ 第２排気孔
５２ｆ 第３排気孔
６０Ｌ 左室背面ダクト
６０Ｒ 右室背面ダクト
６０ｂ 第１背面風胴
６０ｄ 第２背面風胴
６０ｆ 第３背面風胴
６１   ダクト前面板
６２ｂ 第１ダクト吸込孔
６２ｄ 第２ダクト吸込孔
６２ｆ 第３ダクト吸込孔
６３   ダクト通気孔
６４   ダクト後面板
６５ｂ ダクト仕切板
６５ｄ ダクト仕切板
６５ｆ ダクト仕切板
７１ａ 第１吹出ホース（第１一方側吹出ホース）
７１ｂ 第１他方側吹出ホース
７１ｃ 第２吹出ホース（第２一方側吹出ホース）
７１ｄ 第２他方側吹出ホース
７１ｅ 第３吹出ホース（第３一方側吹出ホース）
７１ｆ 第３他方側吹出ホース
７２ｂ 第１吸込ホース
７２ｄ 第２吸込ホース
７２ｆ 第３吸込ホース
７３ａ 第１分岐部
７３ｃ 第２分岐部
７３ｅ 第３分岐部
１００ 収納庫断熱材
１０１ 断熱扉
１０２ 収納庫仕切板
１１０Ｌ 商品切り出し機構
１１０Ｒ 商品切り出し機構
１２０Ｌ 左商品室(商品収納庫)
１２０Ｒ 右商品室(商品収納庫)
１３０Ｌ 左室シューター
１３０Ｒ 右室シューター
１４０ａ 第１下吹出側ダクト
１４０ｃ 第２下吹出側ダクト
１４０ｅ 第３下吹出側ダクト
１４０ａｃ ラック断熱板
１４０ｂｄ ラック断熱板
１４０ｃｅ ラック断熱板
１４０ｄｆ ラック断熱板
１４１ａ 第１下給気孔
１４２ａ 第１下吹出孔
１４３ａ 第１下連通孔
１４４ａ 第１下フランジ
１４５ａ 第１下開閉扉
１５０ｂ 第１下吸込側ダクト
１５０ｄ 第２下吸込側ダクト
１５０ｆ 第３下吸込側ダクト
２４０ａ 第１中吹出側ダクト
２４０ｃ 第２中吹出側ダクト
２４０ｅ 第３中吹出側ダクト
２４３ａ 第１中連通孔
２４４ａ 第１中フランジ
２４５ａ 第１中開閉扉
２５０ｂ 第１中吸込側ダクト
２５０ｄ 第１中吸込側ダクト
２５０ｆ 第１中吸込側ダクト
３４０ａ 第１上吹出側ダクト
３４０ｃ 第２上吹出側ダクト
３４０ｅ 第３上吹出側ダクト
３４２ａ 第１上吹出孔
３４３ａ 第１上連通孔
３４４ａ 第１上フランジ
３４５ａ 第１上開閉扉
３５０ｂ 第１上吸込側ダクト
３５０ｄ 第２上吸込側ダクト
３５０ｆ 第３上吸込側ダクト
１０００ 自動販売機（実施の形態１）
２０００ 自動販売機（実施の形態２）
３０００ 自動販売機（実施の形態３）
【図１】
2010262589.tif 000004
【図２】
2010262589.tif 000005
【図３】
2010262589.tif 000006
【図４】
2010262589.tif 000007
【図５】
2010262589.tif 000008
【図６】
2010262589.tif 000009
【図７】
2010262589.tif 000010
【図８】
2010262589.tif 000011
【図９】
2010262589.tif 000012
【図１０】
2010262589.tif 000013
【図１１】
2010262589.tif 000014
【図１２】
2010262589.tif 000015
【図１３】
2010262589.tif 000016
【図１４】
2010262589.tif 000017
【図１５】
2010262589.tif 000018